(57)【特許請求の範囲】
【請求項１】
情報処理装置であって、
表示制御部と、色付け部と、を有し、
前記表示制御部は、操作画面を表示し、前記操作画面には第１のオブジェクトが含まれ、
前記第１のオブジェクトが選択された場合、前記色付け部は、特許請求の範囲に含まれる特定のマークで囲われた請求項ｎ（ｎは１以上の自然数）の文言にそれぞれ異なる色を付ける、
情報処理装置。
【請求項２】
請求項１に記載の情報処理装置において、
変更部を有し、
前記変更部は、ユーザ操作に応じて、前記色付け部によって付けられた色を変更する、
情報処理装置。
【請求項３】
請求項１又は請求項２に記載の情報処理装置において、
抽出部を有し、
前記操作画面には第２のオブジェクトが含まれ、
前記第２のオブジェクトが選択された場合、前記抽出部は、対応する特定のマークで囲われた請求項と同じ色を付して請求項の記載を前記特許請求の範囲より抽出する、
情報処理装置。
【請求項４】
請求項３に記載の情報処理装置において、
前記抽出部は、前記請求項の記載を前記特許請求の範囲より抽出し、編集してファイルに出力する、
情報処理装置。
【請求項５】
請求項４に記載の情報処理装置において、
前記編集の一つは、前記抽出した請求項の記載に含まれる前記を削除することである、
情報処理装置。
【請求項６】
請求項４又は請求項５に記載の情報処理装置において、
前記編集の一つは、前記抽出した請求項の記載を複数の文に区切ることである、
情報処理装置。
【請求項７】
請求項１から請求項６までの何れか１項に記載の情報処理装置において、
前記操作画面には、第１のタブと第２のタブとが含まれ、
前記第１のタブが選択された場合、前記操作画面には、前記第１のオブジェクトが含まれる操作領域が表示される、
情報処理装置。
【請求項８】
請求項３に記載の情報処理装置において、
前記操作画面には、第１のタブと第２のタブとが含まれ、
前記第２のタブが選択された場合、前記操作画面には、前記第２のオブジェクトが含まれる操作領域が表示される、
情報処理装置。
【請求項９】
請求項１から請求項８までの何れか１項に記載の情報処理装置において、
削除部を有し、
前記表示制御部は、第３のオブジェクトを表示し、
前記第３のオブジェクトが選択された場合、前記削除部は、書類に含まれる、設定された記号で囲まれたコメントを削除する、
情報処理装置。
【請求項１０】
情報処理装置が実行する情報処理方法であって、
第１の工程と、第２の工程と、を含み、
前記第１の工程では、操作画面を表示し、前記操作画面には第１のオブジェクトが含まれ、
前記第１のオブジェクトが選択された場合、前記第２の工程では、特許請求の範囲に含まれる特定のマークで囲われた請求項ｎ（ｎは１以上の自然数）の文言にそれぞれ異なる色を付ける、
情報処理方法。
【請求項１１】
プログラムであって、コンピュータを、請求項１乃至請求項９の何れか１項に記載の情報処理装置の各部として機能させるためのプログラム。
【発明の詳細な説明】
【技術分野】
【０００１】
本発明は、情報処理装置、情報処理方法、プログラム及び書類に関する。
【背景技術】
【０００２】
書類の作成を支援するソフトウェアがある。
特許文献１には、特許明細書の作成を支援する装置が開示されている。
【先行技術文献】
【特許文献】
【０００３】
【特許文献１】特開２０１３−８０２７９号公報
【発明の概要】
【発明が解決しようとする課題】
【０００４】
しかし、特許文献１の技術は、特許明細書等の書類の作成の支援を目的としており、作成された書類の読みやすさ等のための支援は目的とされておらず、作成された書類が読み辛い等の問題があった。
【０００５】
本発明は、かかる事情を鑑みてなされたものであり、読みやすい書類の作成を支援する技術を提供することを目的とする。
【課題を解決するための手段】
【０００６】
本発明の一態様によれば、情報処理装置であって、表示制御部と、色付け部と、を有し、前記表示制御部は、操作画面を表示し、前記操作画面には第１のオブジェクトが含まれ、前記第１のオブジェクトが選択された場合、前記色付け部は、特許請求の範囲に含まれる特定のマークで囲われた請求項ｎ（ｎは１以上の自然数）の文言にそれぞれ異なる色を付ける、情報処理装置が提供される。
【発明の効果】
【０００７】
本発明の一つによれば、読みやすい書類の作成を支援する技術を提供することができるという有利な効果を奏する。
【図面の簡単な説明】
【０００８】
【図１】図１は、情報処理システムのシステム構成の一例を示す図である。
【図２】図２は、情報処理装置のハードウェア構成の一例を示す図である。
【図３】図３は、情報処理装置の機能構成の一例を示す図である。
【図４】図４は、情報処理装置による請求項の色付けに関する情報処理の一例を示すアクティビティ図である。
【図５】図５は、パレットの一例を示す図である。
【図６】図６は、色付け部によって色が付けられた特許請求の範囲の一例を示す図である。
【図７】図７は、色を消す操作を説明するための図である。
【図８】図８は、パレットの一例を示す図である。
【図９】図９は、抽出された請求項の一例を示す図である。
【図１０】図１０は、出願準備ボタンの一例を示す図である。
【図１１】図１１は、コメントが削除された特許請求の範囲の一例を示す図である。
【発明を実施するための形態】
【０００９】
以下、図面を用いて本発明の実施形態について説明する。以下に示す実施形態中で示した各種特徴事項は、互いに組み合わせ可能である。
【００１０】
本明細書において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、０又は１で構成される２進数のビット集合体として信号値の高低によって表され、広義の回路上で通信・演算が実行されうる。
【００１１】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１２】
＜実施形態１＞
１．システム構成
図１は、情報処理システムのシステム構成の一例を示す図である。
図１に示されるように、情報処理システムは、情報処理装置１００と、サーバ装置１１０と、を含む。情報処理装置１００と、サーバ装置１１０とは、ネットワーク１２０を介して通信可能に接続されている。
サーバ装置１１０は、ユーザが所属している団体（例えば、企業、特許事務所、特許業務法人等）が管理している書類データを保存している。ユーザは、情報処理装置１００を用いて、サーバ装置１１０にアクセスして担当する書類データ等の作成、修正等を行う。
【００１３】
２．ハードウェア構成
図２は、情報処理装置１００のハードウェア構成の一例を示す図である。
図２に示されるように、情報処理装置１００は、ハードウェア構成として、制御部２０１と、記憶部２０２と、入力部２０３と、表示部２０４と、通信部２０５と、を含む。制御部２０１は、情報処理装置１００の全体を制御する。制御部２０１が、記憶部２０２に記憶されたプログラムに基づき処理を実行することにより、後述する図３に示す情報処理装置１００の機能構成、図４に示すアクティビティ図、図５−図１１に示す画面遷移に関する制御等が実現される。記憶部２０２は、プログラム及び制御部２０１がプログラムに基づき処理を実行する際に用いるデータ等を記憶する。入力部２０３は、キーボート及びマウス等を用いたユーザの操作情報を入力する。表示部２０４は、ディスプレイ等であって、制御部２０１における処理の結果等を表示する。通信部２０５は、情報処理装置１００をネットワーク１２０に接続し、情報処理装置１００と外部装置との通信を司る。
【００１４】
３．機能構成
図３は、情報処理装置１００の機能構成の一例を示す図である。
図３に示されるように、情報処理装置１００は、機能構成として、表示制御部３０１と、色付け部３０２と、変更部３０３と、抽出部３０４と、削除部３０５と、を含む。表示制御部３０１は、パレットを表示する。パレットにはオートボタンが含まれる。ここで、パレットは、操作画面の一例である。また、オートボタンは、第１のオブジェクトの一例である。パレット及びオートボタンの詳細は、後述する図５を用いて説明する。
オートボタンが選択された場合、色付け部３０２は、特許請求の範囲に含まれる始めすみつき括弧と終わりすみつき括弧とで囲まれた（特定のマークで囲われた）請求項という言葉にそれぞれ異なる色を付ける。特許請求の範囲は、書類の一例である。始めすみつき括弧と終わりすみつき括弧とで囲まれた請求項という言葉は、設定された言葉の一例である。色付け部３０２による色付けの詳細は、後述する図５及び図６を用いて説明する。
情報処理装置１００が表示制御部３０１と色付け部３０２とを有することによって、オートボタンが選択された場合、書類（例えば、特許請求の範囲）に含まれる設定された言葉（例えば、請求項１、請求項２、・・・）にそれぞれ異なる色が付けられるので、書類を見慣れない人であっても、視覚的に書類に設定された言葉がいくつあるか把握することができ、読みやすい書類の作成を支援する技術を提供することができる。
【００１５】
変更部３０３は、ユーザ操作に応じて、色付け部によって付けられた色を変更する。変更部３０３による処理の詳細は、後述する図７等を用いて説明する。
また、後述する図８に示すようにパレットには請求項抽出ボタンが含まれる。請求項抽出ボタンが選択された場合、抽出部３０４は、対応する始めすみつき括弧と終わりすみつき括弧とで囲まれた請求項と同じ色を付して請求項の記載を特許請求の範囲より抽出する。請求項抽出ボタンは、第２のオブジェクトの一例である。始めすみつき括弧と終わりすみつき括弧とで囲まれた請求項は、特定のマークで囲われた請求項の一例である。
表示制御部３０１は、後述する図１０に示すように文書作成アプリケーションに表示されるツールバーセットに出願準備ボタンを表示する。出願準備ボタンが選択された場合、削除部３０５は、特許請求の範囲及び明細書に含まれる、逆黒三角と黒三角とで囲まれたコメントを削除する。特許請求の範囲及び明細書は書類の一例である。逆黒三角と黒三角とで囲まれたコメントは、設定された記号で囲まれたコメントの一例である。
【００１６】
４．情報処理及び画面例
図４は、情報処理装置１００による請求項の色付けに関する情報処理の一例を示すアクティビティ図である。図５は、パレットの一例を示す図である。表示制御部３０１は、図５に示されるように、文書作成アプリケーションの画面に表示されるツールバーセットにパレットボタン５０１を表示する。
Ａ４０１において、表示制御部３０１は、パレットボタン５０１が選択されたか否かを判定する。パレットボタン５０１が選択されたと判定すると、表示制御部３０１は、Ａ４０２の処理に進む。パレットボタン５０１が選択されなかったと判定すると、表示制御部３０１は、Ａ４０１の処理を繰り返す。
【００１７】
Ａ４０２において、表示制御部３０１は、図５に示されるように表示部２０４にパレット５０２を表示する。上述したようにパレット５０２は、操作画面の一例である。
Ａ４０３において、色付け部３０２は、オートボタン５０３が選択されたか否かを判定する。色付け部３０２は、オートボタン５０３が選択されたと判定した場合、Ａ４０４の処理に進む。色付け部３０２は、オートボタン５０３が選択されていないと判定した場合、Ａ４０３の処理を繰り返す。なお、図５に示されるように、パレット５０２には、メインタブ５０５と、色付けタブ５０４と、が含まれる。色付けタブ５０４が選択された場合、パレット５０２には、オートボタン５０３が含まれる操作領域が表示される。
Ａ４０４において、色付け部３０２は、特許請求の範囲に含まれる始めすみつき括弧と終わりすみつき括弧とで囲まれた請求項という言葉にそれぞれ異なる色を自動で付ける。図６は、色付け部３０２によって色が付けられた特許請求の範囲の一例を示す図である。６０１は、例えば、黄色である。６０２は、例えば、緑色である。６０３は、例えば、空色である。６０４は、例えば、薄ピンク色である。６０５は、例えば、薄橙色である。特許請求の範囲を見慣れない人であっても、視覚的に特許請求の範囲に請求項がいくつあるか把握することができ、読みやすい書類の作成を支援することができる。
【００１８】
Ａ４０５において、変更部３０３は、色を消す操作が行われたか否かを判定する。変更部３０３は、色を消す操作が行われたと判定した場合、Ａ４０６の処理に進む。変更部３０３は、色を消す操作が行われていないと判定した場合、Ａ４０５の処理を繰り返す。図７は、色を消す操作を説明するための図である。例えば、請求項５の色を変更する場合、ユーザは、入力部２０３等を操作して７０１に示すように始めすみつき括弧と終わりすみつき括弧とで囲まれた請求項５を選択する。そして、ユーザは、入力部２０３等を操作して消すボタン７０２を選択する。この例では、始めすみつき括弧と終わりすみつき括弧とで囲まれた請求項５を選択し、消すボタン７０２を選択する操作が色を消す操作である。
Ａ４０６において、変更部３０３は、選択された箇所の色を削除する。上述した例では、始めすみつき括弧と終わりすみつき括弧とで囲まれた請求項５に付されていた色を削除する。
【００１９】
Ａ４０７において、変更部３０３は、色を付す操作が行われたか否かを判定する。変更部３０３は、色を付す操作が行われたと判定した場合、Ａ４０８の処理に進む。変更部３０３は、色を付す操作が行われていないと判定した場合、Ａ４０７の処理を繰り返す。図７を用いて説明すると、例えば、請求項５に色を付す場合、ユーザは、入力部２０３等を操作して７０１に示すように始めすみつき括弧と終わりすみつき括弧とで囲まれた請求項５を選択する。そして、ユーザは、入力部２０３等を操作して複数の異なる色が並べて表示されている表示領域７０３より請求項５に付す色を選択する。この例では、始めすみつき括弧と終わりすみつき括弧とで囲まれた請求項５を選択し、表示領域７０３から色を選択する操作が色を付す操作である。
Ａ４０８において、変更部３０３は、表示領域７０３で選択された色を選択された領域に付す。上述した例では、表示領域７０３で選択された色を、始めすみつき括弧と終わりすみつき括弧とで囲まれた請求項５に付す。
【００２０】
５．請求項抽出
図８及び図９を用いて請求項の抽出について説明する。図８は、パレットの一例を示す図である。図８に示されるように、パレット５０２には、メインタブ５０５と、色付けタブ５０４と、が含まれる。メインタブ５０５が選択された場合、パレット５０２には、請求項抽出ボタン８０１が含まれる操作領域が表示される。請求項抽出ボタンは、第２のオブジェクトの一例である。
ユーザが入力部２０３等を操作して請求項抽出ボタン８０１を選択すると、抽出部３０４は、対応する始めすみつき括弧と終わりすみつき括弧とで囲まれた請求項と同じ色を付して請求項の記載を特許請求の範囲より抽出する。より具体的に説明すると、ユーザが入力部２０３等を操作して請求項抽出ボタン８０１を選択すると、抽出部３０４は、対応する始めすみつき括弧と終わりすみつき括弧とで囲まれた請求項と同じ色を付して請求項の記載を特許請求の範囲より抽出し、ファイルに出力する。
図９は、抽出された請求項の一例を示す図である。始めすみつき括弧と終わりすみつき括弧とで囲まれた請求項１（９０１）に黄色が付されていた場合、抽出部３０４は、請求項１の記載を抽出し、対応する請求項１と同じ色である黄色を付してファイルに出力する（９０２）。同様に、始めすみつき括弧と終わりすみつき括弧とで囲まれた請求項２（９０３）に緑色が付されていた場合、抽出部３０４は、請求項２の記載を抽出し、対応する請求項２と同じ色である緑色を付してファイルに出力する（９０４）。なお、抽出部３０４は、請求項の記載をそのまま抽出するのではなく、所定のルールに基づき、請求項の記載を明細書に記載できるように、抽出した請求項の記載を編集してファイルに出力する。編集の一例とは、図８と図９とを比較すると分かるように、請求項に含まれる「前記」を削除することである。また、編集の一例としては、図８と図９とを比較すると分かるように、抽出した請求項に記載を複数の文に区切ることである。例を用いて説明すると、図８では、請求項１は、
「
情報処理装置であって、
表示制御部と、色付け部と、を有し、
前記表示制御部は、操作画面を表示し、前記操作画面には第１のオブジェクトが含まれ、
前記第１のオブジェクトが選択された場合、前記色付け部は、特許請求の範囲に含まれる特定のマークで囲われた請求項ｎ（ｎは１以上の自然数）の文言にそれぞれ異なる色を付ける、
」
となっているが、
図９では、
「
情報処理装置は、表示制御部と、色付け部と、を有する。表示制御部は、操作画面を表示し、操作画面には第１のオブジェクトが含まれる。第１のオブジェクトが選択された場合、色付け部は、特許請求の範囲に含まれる特定のマークで囲われた請求項ｎ（ｎは１以上の自然数）の文言にそれぞれ異なる色を付ける。
」
となり、複数の文に区切られている。例えば、抽出部３０４は、抽出した請求項に記載の文の係り受けを解析し、文を区切ったり、形態素解析を行い、文を区切ったりする。
また、編集の一例としては、逆黒三角と黒三角とで囲まれたコメントを削除することも含まれる。逆黒三角と黒三角とは一例であって、所定の記号であればよい。
即ち、編集は、請求項の記載から、明細書の記載への変更である。
【００２１】
ユーザは、特許請求の範囲を記載したあと、図５のオートボタン５０３を選択し、請求項に色を付ける。その後、ユーザは、図８の請求項抽出ボタン８０１を選択して請求項と同じ色が付された請求項の記載をファイルからコピーして、明細書を記載する。
即ち、本実施形態の文書作成アプリケーションで作成された書類データをプリンタ等の複合機で印刷すると、特許請求の範囲と、明細書と、を含む、書類が作成される。書類は、特許庁への出願用の書類である。特許請求の範囲は、始めすみつき括弧と終わりすみつき括弧で囲われた請求項ｎ（ｎは１以上の自然数）の文言が含まれ、文言にはそれぞれ異なる色が付された特許請求の範囲である。また、明細書は、対応する始めすみつき括弧と終わりすみつき括弧で囲われた請求項をサポートする記載が含まれ、記載にはそれぞれ対応する特定のマークで囲われた請求項と同じ色が付された明細書である。
このような明細書等によれば、各請求項と明細書の各記載とが色で対応付けられているため、書類をチェックする人は、各請求項のサポートが明細書中のどこでなされているかすぐに把握することができる。また、明細書を作成する人にとっては、特許請求の範囲の最低限のサポートを明細書に記載することができる。
【００２２】
６．コメント削除
図１０及び図１１を用いてコメントの削除について説明する。図１０は、出願準備ボタンの一例を示す図である。表示制御部３０１は、図１０に示されるように、文書作成アプリケーションの画面に表示されるツールバーセットに出願準備ボタン１００２を表示する。
出願準備ボタン１００２が選択されると、表示制御部３０１は、特許請求の範囲及び明細書に含まれる、逆黒三角と黒三角とで囲まれたコメントを削除する。ここで、逆黒三角と黒三角とは、設定された記号の一例であって、設定されていれば他の記号であってもよい。
特許請求の範囲等にコメントを付することで、分かりやすさを提供することができる。しかし、出願の際にコメントが残っているのは適切ではないが、本実施形態によれば、出願準備ボタン１００２が選択されると、コメントは自動的に削除される。図１１は、コメントが削除された特許請求の範囲の一例を示す図である。
なお、逆黒三角と黒三角とに代表される記号は、特許庁への出願に際して特殊記号として取り扱われるものが好ましい。さらには、特許請求の範囲や明細書の記載としては、使用不可と判断される特殊記号が好ましい。このような記号を採用することで、万が一コメントの削除を失念した場合でも、特許庁へのインターネット出願ソフトに取り込む際にエラーが発生するため、誤ってコメントが残ったまま出願されることが防止される。
【００２３】
７．実施形態１の効果
実施形態１によれば、読みやすい書類の作成を支援する技術を提供することができる。
【００２４】
次に記載の各態様で提供されてもよい。
前記情報処理装置において、変更部を有し、前記変更部は、ユーザ操作に応じて、前記色付け部によって付けられた色を変更する、情報処理装置。
前記情報処理装置において、抽出部を有し、前記操作画面には第２のオブジェクトが含まれ、前記第２のオブジェクトが選択された場合、前記抽出部は、対応する特定のマークで囲われた請求項と同じ色を付して請求項の記載を前記特許請求の範囲より抽出する、情報処理装置。
前記情報処理装置において、前記抽出部は、前記請求項の記載を前記特許請求の範囲より抽出し、編集してファイルに出力する、情報処理装置。
前記情報処理装置において、前記編集の一つは、前記抽出した請求項の記載に含まれる前記を削除することである、情報処理装置。
前記情報処理装置において、前記編集の一つは、前記抽出した請求項の記載の文を区切ることである、情報処理装置。
前記情報処理装置において、前記操作画面には、第１のタブと第２のタブとが含まれ、前記第１のタブが選択された場合、前記操作画面には、前記第１のオブジェクトが含まれる操作領域が表示される、情報処理装置。
前記情報処理装置において、前記操作画面には、第１のタブと第２のタブとが含まれ、前記第２のタブが選択された場合、前記操作画面には、前記第２のオブジェクトが含まれる操作領域が表示される、情報処理装置。
前記情報処理装置において、削除部を有し、前記表示制御部は、第３のオブジェクトを表示し、前記第３のオブジェクトが選択された場合、前記削除部は、書類に含まれる、設定された記号で囲まれたコメントを削除する、情報処理装置。
情報処理装置が実行する情報処理方法であって、第１の工程と、第２の工程と、を含み、前記第１の工程では、操作画面を表示し、前記操作画面には第１のオブジェクトが含まれ、前記第１のオブジェクトが選択された場合、前記第２の工程では、特許請求の範囲に含まれる特定のマークで囲われた請求項ｎ（ｎは１以上の自然数）の文言にそれぞれ異なる色を付ける、情報処理方法。
プログラムであって、コンピュータを、前記情報処理装置の各部として機能させるためのプログラム。
書類であって、特許請求の範囲と、明細書と、を含み、前記特許請求の範囲には、特定のマークで囲われた請求項ｎ（ｎは１以上の自然数）の文言が含まれ、前記文言にはそれぞれ異なる色が付されており、前記明細書には、対応する特定のマークで囲われた請求項をサポートする記載が含まれ、前記記載にはそれぞれ対応する特定のマークで囲われた請求項と同じ色が付されている、書類。
もちろん、この限りではない。
【００２５】
例えば、上述のプログラムを記憶する、コンピュータ読み取り可能な非一時的な記憶媒体として提供してもよい。
また、上述した実施形態及び変形例を任意に組み合わせて実施するようにしてもよい。
【００２６】
最後に、本発明に係る種々の実施形態を説明したが、これらは、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれると共に、特許請求の範囲に記載された発明とその均等の範囲に含まれるものである。
【符号の説明】
【００２７】
１００    ：情報処理装置
１１０    ：サーバ装置
１２０    ：ネットワーク
２０１    ：制御部
２０２    ：記憶部
２０３    ：入力部
２０４    ：表示部
２０５    ：通信部
３０１    ：表示制御部
３０２    ：色付け部
３０３    ：変更部
３０４    ：抽出部
３０５    ：削除部
５０１    ：パレットボタン
５０２    ：パレット
５０３    ：オートボタン
５０４    ：色付けタブ
５０５    ：メインタブ
７０２    ：ボタン
７０３    ：表示領域
８０１    ：抽出ボタン
１００２  ：出願準備ボタン
【要約】
【課題】読みやすい書類の作成を支援する技術を提供すること。
【解決手段】本発明の一態様によれば、情報処理装置であって、表示制御部と、色付け部と、を有し、前記表示制御部は、操作画面を表示し、前記操作画面には第１のオブジェクトが含まれ、前記第１のオブジェクトが選択された場合、前記色付け部は、特許請求の範囲に含まれる特定のマークで囲われた請求項ｎ（ｎは１以上の自然数）の文言にそれぞれ異なる色を付ける、情報処理装置が提供される。
【選択図】図１【図１】
0006709924.tif 000002
【図２】
0006709924.tif 000003
【図３】
0006709924.tif 000004
【図４】
0006709924.tif 000005
【図５】
0006709924.tif 000006
【図６】
0006709924.tif 000007
【図７】
0006709924.tif 000008
【図８】
0006709924.tif 000009
【図９】
0006709924.tif 000010
【図１０】
0006709924.tif 000011
【図１１】
0006709924.tif 000012